(57)【要約】【課題】透過率の低下を抑制しつつ高精細化が可能な表示装置を提供する。【解決手段】画像を表示する表示エリアに備えられた、第１色の第１着色膜、及び、第２色の第２着色膜を備え、照射部から照射された光が前記第１着色膜及び前記第２着色膜を透過することによって画像が表示される表示装置であって、前記照射部は、第３色の光を照射する第１光源、及び、第４色の光を照射する第２光源を有し、前記表示エリアに光を照射し、前記第１色と前記第２色とは補色関係にあり、前記第１色の明度は、前記第２色の明度よりも高く、前記表示エリアにおいて、表示可能な前記第１着色膜の第１総面積は、表示可能な前記第２着色膜の第２総面積よりも大きく、前記照射部は、前記表示エリアに対して、前記第１光源及び前記第２光源の光を時分割で切り替えて照射する、表示装置。【選択図】図５Ｃ
2016161860.tif 000002
【特許請求の範囲】
【請求項１】
画像を表示する表示エリアに備えられた、第１色の第１着色膜、及び、第２色の第２着色膜を備え、照射部から照射された光が前記第１着色膜及び前記第２着色膜を透過することによって画像が表示される表示装置であって、
前記照射部は、第３色の光を照射する第１光源、及び、第４色の光を照射する第２光源を有し、前記表示エリアに光を照射し、
前記第１色と前記第２色とは補色関係にあり、
前記第１色の明度は、前記第２色の明度よりも高く、
前記表示エリアにおいて、表示可能な前記第１着色膜の第１総面積は、表示可能な前記第２着色膜の第２総面積よりも大きく、
前記照射部は、前記表示エリアに対して、前記第１光源及び前記第２光源の光を時分割で切り替えて照射する、表示装置。
【請求項２】
第１基板と、第２基板と、前記第１基板と前記第２基板との間に設けられた第１光学素子及び第２光学素子と、
前記第１基板に形成され、前記第１光学素子を制御する第１スイッチング素子と、前記第２光学素子を制御する第２スイッチング素子と、
前記第１着色膜を構成する複数の第１サブ着色膜と、前記第２着色膜を構成する複数の第２サブ着色膜と、を備え、
前記第１スイッチング素子は、１つの前記第１サブ着色膜に対応する前記第１光学素子を制御するものであり、
前記第２スイッチング素子は、１つの前記第２サブ着色膜に対応する前記第２光学素子を制御するものであり、
前記表示エリアにおいて、前記第１スイッチング素子の個数は、前記第２スイッチング素子の個数よりも多い、請求項１に記載の表示装置。
【請求項３】
１つ又は複数の前記第２サブ着色膜は、当該第２サブ着色膜の個数よりも多い複数の前記第１サブ着色膜に囲まれている、請求項２に記載の表示装置。
【請求項４】
前記表示エリアおいて、表示可能な前記第１サブ着色膜の第１面積は、表示可能な前記第２サブ着色膜の第２面積よりも小さい、請求項２又は３に記載の表示装置。
【請求項５】
前記第１着色膜を有する第１サブピクセル及び第２サブピクセルと、
前記第２着色膜を有する第３サブピクセルと、を備え、
前記第１サブピクセルは、前記第２サブピクセルと異なる方向に沿って延在し、
前記第３サブピクセルは、前記第１サブピクセルと前記第２サブピクセルとの間に位置し、
前記第１サブピクセルは、第１端辺及び前記第１端辺とは反対側に第２端辺を有し、
前記第２サブピクセルは、前記第１端辺の延在する方向に並んだ第３端辺、及び前記第２端辺の延在する方向に並んだ第４端辺を有し、
前記第３サブピクセルにおいて、前記第１端辺と前記第３端辺との間の長さは、前記第２端辺と前記第４端辺との間の長さと異なる、請求項１乃至４のいずれか１項に記載の表示装置。
【請求項６】
前記第１着色膜を有する第１サブピクセル及び第４サブピクセルと、
前記第２着色膜を有する第３サブピクセルと、を備え、
前記第１サブピクセルは、前記第４サブピクセルと異なる方向に沿って延在し、
前記第３サブピクセルは、前記第１サブピクセル及び前記第４サブピクセルと第１方向において隣り合っており、
前記第１サブピクセル及び前記第４サブピクセルは、前記第１方向と交差する第２方向において前記第３サブピクセルを介さずに隣り合っており、
前記第１方向における前記第３サブピクセルの長さは、前記第２方向における前記第３サブピクセルの長さよりも短い、請求項１乃至５のいずれか１項に記載の表示装置。
【請求項７】
前記第１色はイエローであり、前記第２色はブルーである、請求項１乃至６のいずれか１項に記載の表示装置。
【請求項８】
前記第３色と前記第４色とを組み合わせることで、レッド、グリーン及びブルーの色特性を有する、請求項１乃至７のいずれか１項に記載の表示装置。
【請求項９】
ＣＩＥ１９７６  ＵＣＳ色度図において、前記第３色のｕ’値をｕ１’とし、前記第３色のｖ’値をｖ１’とし、前記第４色のｕ’値をｖ２’とし、前記第４色のｖ’値をｖ２’とした場合に、
−０．２５＜ｕ１’−ｕ２’＜０．２５
−０．２５＜ｖ１’−ｖ２’＜０．２５
となる、請求項１乃至８のいずれか１項に記載の表示装置。
【請求項１０】
照射部の光源を時分割で切り替える表示装置に用いられる、カラーフィルタ基板であって、
第１色の第１着色膜と、第２色の第２着色膜と、を備え、
前記第１色と前記第２色とは補色関係にあり、
前記第１色の明度は、前記第２色の明度よりも高く、
前記表示パネルにおいて、表示可能な前記第１着色膜の第１総面積は、表示可能な前記第２着色膜の第２総面積よりも大きい、カラーフィルタ基板。
【請求項１１】
前記第１着色膜は複数の第１サブ着色膜を有し、前記第２着色膜は複数の第２サブ着色膜を有し、
１つ又は複数の前記第２サブ着色膜は、当該第２サブ着色膜の個数よりも多い複数の前記第１サブ着色膜に囲まれている、請求項１０に記載のカラーフィルタ基板。
【発明の詳細な説明】
【技術分野】
【０００１】
本発明の実施形態は、表示装置及びカラーフィルタ基板に関する。
【背景技術】
【０００２】
近年、表示装置においては、画素の高密度化による高精細化を図る研究が盛んに行われている。高精細化を実現するための画素配列構造の１つに、ブルー色波長域に対する視覚分解能がレッドないしグリーン色波長域に対するそれと比べて低いという人間の視覚特性を利用した画素配列がある。そのような画素配列の一例として、特許文献１は、ハニカム構造をなす六角形の画素配列構造であって、中央に配される六角形のブルー色の画素と、ブルー色の画素の各辺に臨んで交互に配されるレッド色およびグリーン色の画素と、からなる画素配列構造を開示している。
【０００３】
上記の画素配列構造を有する表示装置は、レッド色、グリーン色、及びブルー色の画素の構成比率が３：３：１となっており、視覚分解能の低いブルー色の画素の数が少ない。このため、表示装置は、少ない画素数で高品質な画像表示を行うことが可能である。
【先行技術文献】
【特許文献】
【０００４】
【特許文献１】特開２００７−１７４７７号公報
【発明の概要】
【発明が解決しようとする課題】
【０００５】
上記の画素配列構造を有する表示装置であったとしても、カラー画像を表示するための最小単位は、少なくともレッド色、グリーン色、及びブルー色の３つの画素が必要である。各画素は、スイッチング素子や各種配線といった表示に寄与しない領域を有している。このため、さらなる高精細化の要求に伴って各画素が微細化すると、各画素において表示に寄与する開口部の面積を十分に確保できず、表示パネルの透過率が低下する恐れがある。また、小さな面積の開口部で十分な透過率を得ようとすると、表示パネルを照明する光源の輝度を増大する必要があり、消費電力の増大を招く。
【０００６】
本実施形態の目的は、透過率の低下を抑制しつつ高精細化が可能な表示装置を提供することにある。
【課題を解決するための手段】
【０００７】
本実施形態によれば、
画像を表示する表示エリアに備えられた、第１色の第１着色膜、及び、第２色の第２着色膜を備え、照射部から照射された光が前記第１着色膜及び前記第２着色膜を透過することによって画像が表示される表示装置であって、前記照射部は、第３色の光を照射する第１光源、及び、第４色の光を照射する第２光源を有し、前記表示エリアに光を照射し、前記第１色と前記第２色とは補色関係にあり、前記第１色の明度は、前記第２色の明度よりも高く、前記表示エリアにおいて、表示可能な前記第１着色膜の第１総面積は、表示可能な前記第２着色膜の第２総面積よりも大きく、前記照射部は、前記表示エリアに対して、前記第１光源及び前記第２光源の光を時分割で切り替えて照射する、表示装置が提供される。
【０００８】
本実施形態によれば、
照射部の光源を時分割で切り替える表示装置に用いられる、カラーフィルタ基板であって、第１色の第１着色膜と、第２色の第２着色膜と、を備え、前記第１色と前記第２色とは補色関係にあり、前記第１色の明度は、前記第２色の明度よりも高く、前記表示パネルにおいて、表示可能な前記第１着色膜の第１総面積は、表示可能な前記第２着色膜の第２総面積よりも大きい、カラーフィルタ基板が提供される。
【図面の簡単な説明】
【０００９】
【図１】図１は、表示装置の概略を示す斜視図である。
【図２】図２は、照射部の構造を示す図である。
【図３】図３は、表示エリアに含まれるサブピクセルの構成を示す図である。
【図４】図４は、表示装置の断面を示す図である。
【図５Ａ】図５Ａは、サブ着色膜の配列構造を示す図である。
【図５Ｂ】図５Ｂは、各サブピクセルにおける第１基板１００の構造を示す図である。
【図５Ｃ】図５Ｃは、各サブピクセルにおける第２基板２００の構造を示す図である。
【図６】図６は、画素電極の構造例を示す図である。
【図７Ａ】図７Ａは、第１着色膜及び第２着色膜の透過率スペクトルを示す図である。
【図７Ｂ】図７Ｂは、第１光源及び第２光源から出射する光の輝度スペクトルを示す図である。
【図８】図８は、第１色、第２色、第３色、及び第４色の組み合わせを示す図である。
【図９】図９は、ＣＩＥ１９７６  ＵＣＳ色度図である。
【図１０】図１０は、本実施形態における表示装置の動作を示すタイムチャートである。
【発明を実施するための形態】
【００１０】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【００１１】
以下、図面を参照しながら説明する。
【００１２】
図１は、表示装置の概略を示す斜視図である。なお、本実施形態は、液晶分子が光学素子として機能する液晶表示パネルを有する表示装置について図示して説明するが、これに限らず、Micro Electro Mechanical System（ＭＥＭＳ）シャッターが光学素子として機能する機械式表示パネルを有する表示装置などであってもよい。なお、ＭＥＭＳシャッターを用いる場合、後述する第１偏光板ＰＬ１、第２偏光板ＰＬ２は設けなくても良い。
【００１３】
表示装置ＤＳＰは、表示パネルＰＮＬ、表示パネルＰＮＬを駆動する駆動集積回路（ＩＣ）チップＩＣ、表示パネルＰＮＬを照明する照射部ＢＬ、制御モジュールＣＭ、フレキシブル回路基板ＦＰＣ１、ＦＰＣ２などを備えている。なお、本実施形態において、第１方向Ｘは、例えば表示パネルＰＮＬの短辺方向である。第２方向Ｙは、第１方向Ｘに交差する方向であり、表示パネルＰＮＬの長辺方向である。また、第３方向Ｚは、第１方向Ｘ及び第２方向Ｙに交差する方向である。
【００１４】
表示パネルＰＮＬは、第１基板１００と、第１基板１００に対向配置された第２基板２００と、第１基板１００と第２基板２００との間に挟持された液晶層（後述する液晶層ＬＱ）と、を備えている。表示パネルＰＮＬは、画像を表示する表示エリアＤＡ、及び、表示エリアＤＡの周辺に位置する額縁状の非表示エリアＮＤＡを備えている。
【００１５】
照射部ＢＬは、表示パネルＰＮＬの第１基板１００側に対向するように配置されている。照射部ＢＬは、第１基板１００と対向する側に発光面ＬＳＦを備えている。照射部ＢＬは、発光面ＬＳＦから表示パネルＰＮＬに向けて光を照射する面光源である。発光面ＬＳＦは、表示エリアＤＡの全面に亘って対向している。なお後述するように、照射部ＢＬは、表示エリアＤＡに対して第１光源ＬＳ１の光と第２光源ＬＳ２の光とを時分割で切替えて照射するものである。
【００１６】
駆動ＩＣチップＩＣは、表示パネルＰＮＬの第１基板１００上に実装されている。フレキシブル回路基板ＦＰＣ１は、第１基板１００上に実装され、表示パネルＰＮＬと制御モジュールＣＭとを接続している。フレキシブル回路基板ＦＰＣ２は、照射部ＢＬと制御モジュールＣＭとを接続している。例えば、制御モジュールＣＭは、駆動ＩＣチップＩＣに対して表示パネルＰＮＬを駆動するのに必要な信号を出力する。また、制御モジュールＣＭは、照射部ＢＬを駆動するのに必要な信号を出力する。
【００１７】
このような構成の表示装置ＤＳＰは、照射部ＢＬから表示パネルＰＮＬに入射する光を選択的に透過することによって画像を表示する。
【００１８】
図２は、照射部の構造を示す図である。
【００１９】
照射部ＢＬは、光源ユニットＬＵ、導光板ＬＧ、反射シートＲＳ、及び光学シートＯＳを備えている。一例では、導光板ＬＧは、第１方向Ｘに沿った短辺及び第２方向Ｙに沿った長辺を有している。なお、図示した照射部ＢＬは、光源ユニットＬＵを表示エリアＤＡの外に配置したエッジライト型バックライトユニットであるが、光源ユニットＬＵを表示エリアＤＡの中に配置した直下型バックライトユニットであってもよい。
【００２０】
光源ユニットＬＵは、例えば、導光板ＬＧの短辺に沿って配置されている。光源ユニットＬＵは、フレキシブル回路基板ＦＰＣ２上に実装された第１光源ＬＳ１及び第２光源ＬＳ２を備えている。第１光源ＬＳ１及び第２光源ＬＳ２は、例えば導光板ＬＧの短辺に沿って交互に配置されている。第１光源ＬＳ１及び第２光源ＬＳ２は、例えば、発光ダイオード（ＬＥＤ）に蛍光体層を積層して形成されている。第１光源ＬＳ１及び第２光源ＬＳ２は、発光ダイオードの発光色と蛍光体層の色との組み合わせが異なり、互いに異なる色の光を発光するように構成されている。なお、光源ユニットＬＵは、導光板ＬＧの長辺に沿って配置されていてもよい。そのような場合、第１光源ＬＳ１及び第２光源ＬＳ２は、例えば、導光板ＬＧの長辺に沿って交互に配置されている。
【００２１】
導光板ＬＧは、平板状に形成されている。導光板ＬＧは、例えば、アクリル樹脂などの樹脂材料によって形成される。第１及び第２光源ＬＳ１、ＬＳ２から導光板ＬＧに入射した光は、導光板ＬＧの内部で全反射を繰り返しながら進んでいく。そして、全反射条件を満たさなくなった光は、導光板ＬＧから放出される。
【００２２】
反射シートＲＳは、光反射性を有しており、導光板ＬＧに対向配置されている。図示した例では、反射シートＲＳは、長方形状に形成されている。導光板ＬＧから反射シートＲＳ側に出射した光は、反射シートＲＳで反射されて、導光板ＬＧから光学シートＯＳ側に出射する光として再利用される。
【００２３】
光学シートＯＳは、光透過性を有しており、反射シートＲＳとは反対側で導光板ＬＧに対向配置されている。光学シートＯＳは、例えば、拡散シートＯＳＡ、プリズムシートＯＳＢ、プリズムシートＯＳＣ、及び拡散シートＯＳＤを備えている。なお、光学シートＯＳは、例えば輝度向上フィルムなどの、他のシートを備えていてもよい。
【００２４】
なお、フィールドシーケンシャルカラー（ＦＳＣ）方式で画像を表示する本実施形態においては、照射部ＢＬは、表示エリアＤＡに対して、第１光源ＬＳ１の光と第２光源ＬＳ２の光とを時分割で切替えて照射する。
【００２５】
図３は、表示エリアに含まれるサブピクセルの構成を示す図である。
【００２６】
各サブピクセルＳＸは、スイッチング素子ＳＷ、画素電極ＰＥ、共通電極ＣＥ、液晶層ＬＱ等を備えている。スイッチング素子ＳＷは、例えば薄膜トランジスタ（ＴＦＴ）で形成されている。スイッチング素子ＳＷは、ゲート線Ｇ及び信号線Ｓと電気的に接続されている。画素電極ＰＥは、スイッチング素子ＳＷに電気的に接続されている。画素電極ＰＥは、共通電極ＣＥと対向し、画素電極ＰＥと共通電極ＣＥとの間に生じる電界によって液晶層ＬＱを駆動している。保持容量ＣＳは、例えば、共通電極ＣＥと画素電極ＰＥとの間に形成される。
【００２７】
図４は、表示装置の断面を示す図である。なお、この図は、第１サブピクセルＳＸ１、第２サブピクセルＳＸ２、及び第１サブピクセルＳＸ１と第２サブピクセルＳＸ２との間に位置する第３サブピクセルＳＸ３の断面を示している。第１及び第２サブピクセルＳＸ１、ＳＸ２は、同様に構成されている。
【００２８】
この図においては、一例として、横電界を利用する表示モードの液晶表示装置が図示されている。ただし、本実施形態における液晶表示装置の表示モードは、特に限定されるものではなく、縦電界等の他の電界を利用するモードであってもよい。
【００２９】
第１基板１００は、第１絶縁基板１０、第１スイッチング素子ＳＷ１、第２スイッチング素子ＳＷ２、第１絶縁膜１１、共通電極ＣＥ、第２絶縁膜１２、第１画素電極ＰＥ１、第２画素電極ＰＥ２、及び第１配向膜ＡＬ１などを備えている。なお、以下の第１基板１００に関する説明で「上」とは液晶層ＬＱと対向する側に相当する。第１絶縁基板１０は、ガラス、樹脂等の光透過性及び絶縁性を有する材料によって形成されている。
【００３０】
第１及び第２スイッチング素子ＳＷ１、ＳＷ２は、第１絶縁基板１０の上に配置されている。図示した例では、第１スイッチング素子ＳＷ１は、第１及び第２サブピクセルＳＸ１、ＳＸ２に対応する領域にそれぞれ１個配置されている。第２スイッチング素子ＳＷ２は、第３サブピクセルＳＸ３に対応する領域に配置されている。第１絶縁膜１１は、第１絶縁基板１０、第１スイッチング素子ＳＷ１、及び第２スイッチング素子ＳＷ２の上に配置されている。
【００３１】
共通電極ＣＥは、第１絶縁膜１１の上に形成されている。共通電極ＣＥは、例えば、インジウム・ティン・オキサイド（ＩＴＯ）やインジウム・ジンク・オキサイド（ＩＺＯ）などの透明な導電材料によって形成されている。第２絶縁膜１２は、共通電極ＣＥの上に配置されている。
【００３２】
第１及び第２画素電極ＰＥ１、ＰＥ２は、第２絶縁膜１２の上に配置され、第２絶縁膜１２を介して共通電極ＣＥと対向している。第１及び第２画素電極ＰＥ１、ＰＥ２には、スリットＳＬＡが形成されている。第１画素電極ＰＥ１は、第１サブピクセルＳＸ１に対応する領域に形成され、第１スイッチング素子ＳＷ１と図示しない位置で電気的に接続されている。第２画素電極ＰＥ２は、第３サブピクセルＳＸ３に対応する領域に形成され第２スイッチング素子ＳＷ２と図示しない位置で電気的に接続されている。なお、第３サブピクセルＳＸ３に対応する領域においては、第１サブピクセルＳＸ１に対応する領域と同様に、第１画素電極ＰＥ１と第１スイッチング素子ＳＷ１とが電気的に接続されている。第１及び第２画素電極ＰＥ１、ＰＥ２は、ＩＴＯやＩＺＯなどの透明な導電材料によって形成されている。
【００３３】
第１配向膜ＡＬ１は、第２絶縁膜１２や第１及び第２画素電極ＰＥ１、ＰＥ２などを覆っている。第１配向膜ＡＬ１は、水平配向等の液晶配向性を示す材料によって形成され、第１基板１００の液晶層ＬＱと接する面に配置されている。
【００３４】
第２基板２００は、第２絶縁基板２０、遮光層ＢＭ、第１サブ着色膜ＳＦ１を含む第１着色膜ＣＦ１、第２サブ着色膜ＳＦ２を含む第２色膜ＣＦ２、オーバーコート層ＯＣ、第２配向膜ＡＬ２などを備えている。第２絶縁基板２０は、ガラス、樹脂等の光透過性及び絶縁性を有する材料によって形成されている。
【００３５】
遮光層ＢＭ、第１及び第２サブ着色膜ＳＦ１、ＳＦ２は、第２絶縁基板２０の液晶層ＬＱに対向する側に形成されている。第１及び第２サブ着色膜ＳＦ１、ＳＦ２の一部は、遮光層ＢＭに重なっている。遮光層ＢＭは、光透過率が低く反射率が低い、黒色の樹脂材料や遮光性の金属材料によって形成されている。第１サブ着色膜ＳＦ１は第１及び第２サブピクセルＳＸ１、ＳＸ２に対応する領域に配置され、第２サブ着色膜ＳＦ２は第３サブピクセルＳＸ３に対応する領域に配置されている。また、第１サブ着色膜ＳＦ１は第１画素電極ＰＥ１と対向し、第２サブ着色膜ＳＦ２は第２画素電極ＰＥ２と対向している。第１サブ着色膜ＳＦ１は、第１色ＣＬＲ１に着色された、光透過性を有する樹脂材料で形成されている。このような第１サブ着色膜ＳＦ１は、第１着色膜ＣＦ１のうち、第１及び第２サブピクセルＳＸ１、ＳＸ２に対応する領域に配置された部分に相当する。第２サブ着色膜ＳＦ２は、第２色ＣＬＲ２に着色された、光透過性を有する樹脂材料で形成されている。このような第２サブ着色膜ＳＦ２は、第２着色膜ＣＦ２のうち、第３サブピクセルＳＸ３に対応する領域に配置された部分に相当する。第１及び第２サブ着色膜ＳＦ１、ＳＦ２は、例えば、第１方向Ｘに交互に配置されている。第１サブ着色膜ＣＦ１と第２サブ着色膜ＳＦ２との境界は、例えば、遮光層ＢＭと対向している。
【００３６】
オーバーコート層ＯＣは、第１及び第２サブ着色膜ＳＦ１、ＳＦ２を覆っている。オーバーコート層ＯＣは、例えば透明な樹脂材料によって形成される。
【００３７】
第２配向膜ＡＬ２は、オーバーコート層ＯＣを覆っている。第２配向膜ＡＬ２は、水平配向等の液晶配向性を示す材料によって形成され、第２基板２００の液晶層ＬＱと接する面に配置されている。第１及び第２配向膜ＡＬ１、ＡＬ２は、例えば、ラビング処理や光配向処理などの配向処理がなされたポリイミドで形成されている。
【００３８】
液晶層ＬＱは、第１基板１００と第２基板２００との間に配置されている。液晶層ＬＱは、液晶分子ＬＭを含んでいる。液晶分子ＬＭの長軸は、第１及び第２配向膜ＡＬ１、ＡＬ２の配向規制力を受けて、第１及び第２配向膜ＡＬ１、ＡＬ２の表面あるいはＸ−Ｙ平面に沿って初期配向している。液晶分子ＬＭの配向方向は、液晶層ＬＱに形成される電界の強度に応じて変化する。液晶分子ＬＭは、表示パネルＰＮＬの光透過率を制御する光学素子として機能する。
【００３９】
第１光学素子ＯＥ１は、第１サブピクセルＳＸ１又は第２サブピクセルＳＸ２に対応する領域に配置されている。第２光学素子ＯＥ２は、第３サブピクセルＳＸ３に対応する領域に配置されている。１つの第１光学素子ＯＥ１は、１つの第１サブ着色膜ＳＦ１に対向配置されている。１つの第２光学素子ＯＥ２は、１つの第２サブ着色膜ＳＦ２に対向配置されている。すなわち、表示パネルＰＮＬは、第１サブ着色膜ＳＦ１の数と同等の第１光学素子ＯＥ１と、第２サブ着色膜ＳＦ２の数と同等の第２光学素子ＯＥ２と、を備えている。
【００４０】
第１サブピクセルＳＸ１に対応する領域に配置された第１光学素子ＯＥ１は、第１画素電極ＰＥ１への印加電圧の強度に応じて、第１サブピクセルＳＸ１の光透過率を変化させる。第１画素電極ＰＥ１への印加電圧は、第１サブピクセルＳＸ１に配置された第１スイッチング素子ＳＷ１によって制御される。第２サブピクセルＳＸ２においても、第１サブピクセルＳＸ１と同様である。第３サブピクセルＳＸ３に対応する領域に配置された第２光学素子ＯＥ２は、第２画素電極ＰＥ２への印加電圧の強度に応じて、第３サブピクセルＳＸ３の光透過率を変化させる。第２画素電極ＰＥ２への印加電圧は、第３サブピクセルＳＸ３に配置された第２スイッチング素子ＳＷ２によって制御される。すなわち、１つの第１スイッチング素子ＳＷ１は、１つの第１サブ着色膜ＳＦ１に対応する１つの第１光学素子ＯＥ１を制御している。１つの第２スイッチング素子ＳＷ２は、１つの第２サブ着色膜ＳＦ２に対応する１つの第２光学素子ＯＥ２を制御している。
【００４１】
第１光学機能層ＯＤ１は、例えば、第１絶縁基板１０と照射部ＢＬとの間に配置されている。第１光学機能層ＯＤ１は、第１偏光板ＰＬ１を備えている。第２光学機能層ＯＤ２は、例えば、第２絶縁基板２０の、第１及び第２サブ着色膜ＳＦ１、ＳＦ２が配置された面とは反対側に配置されている。第２光学機能層ＯＤ２は、第２偏光板ＰＬ２を備えている。第１偏光板ＰＬ１の吸収軸と第２偏光板ＰＬ２の吸収軸は、例えば直交している。
【００４２】
なお、本実施形態において、カラーフィルタ基板は、第２基板２００に相当する。ただし、第１着色膜ＣＦ１（第１サブ着色膜ＳＦ１）及び第２着色膜ＣＦ２（第２サブ着色膜ＳＦ２）は、第１及び第２スイッチング素子ＳＷ１、ＳＷ２が形成された第１基板１００に備えられてもよい。このような場合、カラーフィルタ基板は、第１基板１００に相当する。
【００４３】
図５Ａは、サブピクセルの配列構造の一例を示す図である。なお、図示した例では、第２方向Ｙは、第１方向Ｘと直交している。第１延在方向Ｄ１は、第２方向Ｙから右回りに第１鋭角θ回転した方向である。第２延在方向Ｄ２は、第２方向Ｙから左回りに第１鋭角θ回転した方向である。
【００４４】
第１乃至第３ゲート線Ｇ１乃至Ｇ３は、第１方向Ｘに沿って延在している。第１乃至第４信号線Ｓ１乃至Ｓ４は、第１延在方向Ｄ１と第２延在方向Ｄ２とに交互に連続して延在し、信号線の全体としては第２方向Ｙに沿って延在している。一例では、第１乃至第４信号線Ｓ１乃至Ｓ４は、第１乃至第３ゲート線Ｇ１乃至Ｇ３と交差する位置で屈曲している。第１及び第２信号線Ｓ１、Ｓ２は、第１ゲート線Ｇ１と第２ゲート線Ｇ２との間で第１延在方向Ｄ１に沿って延在し、第２ゲート線Ｇ２と第３ゲート線Ｇ３との間で第２延在方向Ｄ２に沿って延在している。第３及び第４信号線Ｓ３、Ｓ４は、第１ゲート線Ｇ１と第２ゲート線Ｇ２との間で第２延在方向Ｄ２に沿って延在し、第２ゲート線Ｇ２と第３ゲート線Ｇ３との間で第１延在方向Ｄ１に沿って延在している。
【００４５】
図示した例では、第１サブピクセルＳＸ１は、第１及び第２ゲート線Ｇ１、Ｇ２と、第１及び第２信号線Ｓ１、Ｓ２とで区画されている。第２サブピクセルＳＸ２は、第１及び第２ゲート線Ｇ１、Ｇ２と、第３及び第４信号線Ｓ３、Ｓ４とで区画されている。第３サブピクセルＳＸ３は、第１及び第３ゲート線Ｇ１、Ｇ３と、第２及び第３信号線Ｓ２、Ｓ３とで区画されている。第４サブピクセルＳＸ４は、第２及び第３ゲート線Ｇ２、Ｇ３と、第１及び第２信号線Ｓ１、Ｓ２とで区画されている。第５サブピクセルＳＸ５は、第２及び第３ゲート線Ｇ２、Ｇ３と、第３及び第４信号線Ｓ３、Ｓ４とで区画されている。すなわち、第１及び第５サブピクセルＳＸ１、ＳＸ５は、第２及び第４サブピクセルＳＸ２、ＳＸ４と異なる方向に沿って延在している。具体的には、第１及び第５サブピクセルＳＸ１、ＳＸ５は第１延在方向Ｄ１に延在し、第２及び第４サブピクセルＳＸ２、ＳＸ４は第２延在方向Ｄ２に延在している。
【００４６】
第１乃至第５サブピクセルＳＸ１乃至ＳＸ５について、互いの位置関係について説明する。第３サブピクセルＳＸ３は、第１方向Ｘにおいて、第１サブピクセルＳＸ１と第２サブピクセルＳＸ２との間に位置し、第４サブピクセルＳＸ４と第５サブピクセルＳＸ５との間に位置している。また、第３サブピクセルＳＸ３は、第１方向Ｘにおいて、一方の側で第１及び第４サブピクセルＳＸ１、ＳＸ４と隣り合っており、他方の側で第２及び第５サブピクセルＳＸ２、ＳＸ５と隣り合っている。第１サブピクセルＳＸ１及び第４サブピクセルＳＸ４、又は、第２サブピクセルＳＸ２及び第５サブピクセルＳＸ５は、それぞれ第２方向Ｙにおいて、第３サブピクセルＳＸ３を介さずに隣り合っている。
【００４７】
例えば、第１サブピクセルＳＸ１は、第１及び第２端辺ＭＧ１、ＭＧ２を有している。第１及び第２端辺ＭＧ１、ＭＧ２は、第１サブピクセルＳＸ１の輪郭の一部であって、第１方向Ｘに沿って延在する部分に相当する。第２端辺ＭＧ２は、第１端辺ＭＧ１とは反対側に位置する。第２サブピクセルＳＸ２は、第３及び第４端辺ＭＧ３、ＭＧ４を有している。第３及び第４端辺ＭＧ３、ＭＧ４は、第２サブピクセルＳＸ２の輪郭の一部であって、第１方向Ｘに沿って延在する部分に相当する。第３端辺ＭＧ３は、第１端辺ＭＧの延在方向において、第１端辺ＭＧ１に並んでいる。第４端辺ＭＧ４は、第２端辺ＭＧ２の延在方向において、第２端辺ＭＧ２に並んでいる。
【００４８】
第３サブピクセルＳＸ３において、第１端辺ＭＧ１と第３端辺ＭＧ３との間の長さＬ１は、第２端辺ＭＧ２と第４端辺ＭＧ４との間の長さＬ２と異なっている。図示した例では、第３サブピクセルＳＸ３において、長さＬ１は長さＬ２より短い。なお、長さＬ１は、０であっても良い。
【００４９】
第１方向Ｘにおける第３サブピクセルＳＸ３の長さＬＸの最大値は、第２方向Ｙにおける第３サブピクセルＳＸ３の長さＬＹの最大値よりも短い。例えば、長さＬＸは、第２端辺ＭＧ２と同一直線上の位置で最大値となる。また、長さＬＹは、第１端部ＭＧ１と第３端部ＭＧ３との中間を通る位置で最大値となる。
【００５０】
図５Ｂは、各サブピクセルにおける第１基板１００の構造を示す図である。
【００５１】
第１サブピクセルＳＸ１は、第１スイッチング素子ＳＷ１及び第１画素電極ＰＥ１を備えている。図示した例では、第１スイッチング素子ＳＷ１は、第２ゲート線Ｇ２及び第１信号線Ｓ１と電気的に接続されている。第１画素電極ＰＥ１は、第１スイッチング素子ＳＷ１と電気的に接続されている。第１画素電極ＰＥ１は、第１及び第２ゲート線Ｇ１、Ｇ２、第１及び第２信号線Ｓ１、Ｓ２で囲まれている。なお、第２、第４、第５サブピクセルについては、第１サブピクセルＳＸ１と同様に構成されており、同一の参照符号を付して説明を省略する。
【００５２】
第３サブピクセルＳＸ３は、第２スイッチング素子ＳＷ２及び第２画素電極ＰＥ２を備えている。図示した例では、第２スイッチング素子ＳＷ２は、第２ゲート線Ｇ２及び第２信号線Ｓ２と電気的に接続されている。第２画素電極ＰＥ２は、第２スイッチング素子ＳＷ２と電気的に接続されている。第２画素電極ＰＥ２は、第１及び第３ゲート線Ｇ１、Ｇ３、第２及び第３信号線Ｓ２、Ｓ３で囲まれている。図示した例では、第２画素電極ＰＥ２は、その略中央で第２ゲート線Ｇ２と交差している。
【００５３】
表示エリアＤＡにおいて、第１スイッチング素子ＳＷ１の個数は、第２スイッチング素子ＳＷ２の個数よりも多い。図示した例において、第２スイッチング素子ＳＷ２は、４つの第１スイッチング素子ＳＷ１と隣り合っている。図示したレイアウトの第１スイッチング素子ＳＷ１及び第２スイッチング素子ＳＷ２を備えた表示エリアＤＡにおいては、第１スイッチング素子ＳＷ１の個数と第２スイッチング素子ＳＷ２の個数とは、２：１の比率で配置されている。また、図示した例において、第２画素電極ＰＥ２は、４つの第１画素電極ＰＥ１と隣り合っている。図示したレイアウトの第１及び第２画素電極ＰＥ１、ＰＥ２を備えた表示エリアＤＡにおいては、第１画素電極ＰＥ１と第２画素電極ＰＥ２とは、２：１の個数比で配置されている。
【００５４】
図５Ｃは、各サブピクセルにおける第２基板２００の構造を示す図である。
【００５５】
遮光層ＢＭは、図５Ｂに示した第１乃至第３ゲート線Ｇ１乃至Ｇ３、第１乃至第４信号線Ｓ１乃至Ｓ４と対向している。遮光層ＢＭは、例えば、金属材料で形成されたゲート線及び信号線での外光反射によるぎらつきを防止するために配置されている。遮光層ＢＭが配置された領域は、光が透過せず、表示に寄与しない。遮光層ＢＭが配置されていない領域は、光が透過することができる表示可能領域に相当する。
【００５６】
図５Ｃにおいて、第１着色膜ＣＦ１は、第１信号線Ｓ１と第２信号線Ｓ２との間、及び、第３信号線Ｓ３と第４信号線Ｓ４との間に配置され、第１延在方向Ｄ１と第２延在方向Ｄ２とに交互に連続して延在している。第２着色膜ＣＦ２は、第２信号線Ｓ２と第３信号線Ｓ３との間に配置されている。第１及び第２着色膜ＣＦ１、ＣＦ２は、第１方向Ｘに沿って交互に並んでいる。隣り合う第１着色膜ＣＦ１の端部と第２着色膜ＣＦ２の端部とは、遮光層ＢＭに対向している。すなわち、第１、第２、第４、及び第５サブピクセルＳＸ１、ＳＸ２、ＳＸ４、及びＳＸ５は、第１着色膜ＣＦ１を有している。第３サブピクセルＳＸ３は、第２着色膜ＣＦ２を有している。
【００５７】
第１着色膜ＣＦ１は、複数の第１サブ着色膜ＳＦ１で構成されている。第１サブ着色膜ＳＦ１は、第２方向Ｙに並んでいる。各々の第１サブ着色膜ＳＦ１は、第１、第２、第４、及び第５サブピクセルＳＸ１、ＳＸ２、ＳＸ４、ＳＸ５に対応する領域に配置されている。例えば、第１サブピクセルＳＸ１の輪郭は、第１サブ着色膜ＳＦ１の輪郭と略一致する。第２、第４、及び第５サブピクセルＳＸ２、ＳＸ４、ＳＸ５の輪郭についても、同様である。隣り合う第１サブ着色膜ＳＦ１同士の端部は、各ゲート線を遮光する遮光層ＢＭと対向している。隣り合う第１サブ着色膜ＳＦ１の端部と第２着色膜ＣＦ２の端部とは、各信号線を遮光する遮光層ＢＭと対向している。すなわち、１つの第１サブ着色膜ＳＦ１は、１つの表示可能領域に対応して配置されている。
【００５８】
第２着色膜ＣＦ２は、複数の第２サブ着色膜ＳＦ２で構成されている。第２サブ着色膜ＳＦ２は、第２方向Ｙに並んでいる。１つの第２サブ着色膜ＳＦ２は、第３サブピクセルＳＸ３に対応する領域に配置されている。例えば、第３サブピクセルＳＸ３の輪郭は、第２サブ着色膜ＳＦ２の輪郭と略一致している。第３サブピクセルＳＸ３に形成された第２サブ着色膜ＳＦ２の端部と、この第２サブ着色膜ＳＦ２と隣り合う他の第２サブ着色膜ＳＦ２の端部とは、第１及び第３ゲート線Ｇ１、Ｇ３を遮光する遮光層ＢＭと対向している。隣り合う第２サブ着色膜ＳＦ２の端部と端部と第１着色膜ＣＦ１の端部とは、各信号線を遮光する遮光層ＢＭと対向している。第２サブ着色膜ＳＦ２は、第２ゲート線Ｇ２を遮光する遮光層ＢＭと対向する。すなわち、１つの第２サブ着色膜ＳＦ２は、図示した例では、２分割された表示可能領域に対応して配置されている。
【００５９】
例えば、第１方向Ｘにおける第２サブ着色膜ＳＦ２の長さは、第２サブ着色膜ＳＦ２を横断する第２ゲート線Ｇ２付近で最大となる。第２方向Ｙにおける第２サブ着色膜ＳＦ２の長さは、第２信号線Ｓ２と第３信号線Ｓ３との間で最大となる。第１方向Ｘにおける第２サブ着色膜ＳＦ２の長さの最大値は、第２方向Ｙにおける第２サブ着色膜ＳＦ２の長さの最大値より、短い。
【００６０】
図示した例では、１つの第２サブ着色膜ＳＦ２は、４つの第１サブ着色膜ＳＦ１と隣り合っている。１つの第１サブ着色膜ＳＦ１は、２つの第２サブ着色膜ＳＦ２と隣り合っている。すなわち、第２サブ着色膜ＳＦ２に隣り合う第１サブ着色膜ＳＦ１の数は、第１サブ着色膜ＳＦ１に隣り合う第２サブ着色膜ＳＦ２の数より多い。１つ又は複数の第２サブ着色膜ＳＦ２は、当該第２サブ着色膜ＳＦ２の個数よりも多い、複数の第１サブ着色膜ＳＦ１に囲まれている。図示した例では、第１サブ着色膜ＳＦ１と第２サブ着色膜ＳＦ２とは、２：１の個数比で配置されている。
【００６１】
第１面積Ａ１は、１つの第１サブ着色膜ＳＦ１における表示可能領域の面積である。第２面積Ａ２は、１つの第２サブ着色膜ＳＦ２における表示可能領域の面積である。図示した例では、第２面積Ａ２は、第２サブ着色膜ＳＦ２を横断する第２ゲート線Ｇ２を遮光する遮光層ＢＭによって分けられた、２つの表示可能領域の面積の合計である。このとき、図示した例では、第２面積Ａ２は、面積Ａ２１と面積Ａ２２との合計である。面積Ａ２１は、第１及び第２ゲート線Ｇ１、Ｇ２、第２及び第３信号線Ｓ２、Ｓ３に対向する遮光層ＢＭで囲まれた表示可能領域の面積である。図示した例では、面積Ａ２２は、第２及び第３ゲート線Ｇ２、Ｇ３、第２及び第３信号線Ｓ２、Ｓ３に対向する遮光層ＢＭで囲まれた表示可能領域の面積である。なお、遮光層ＢＭは、ゲート線用の遮光層と信号線用の遮光層とに別に分けて形成されていても良い。
【００６２】
第１面積Ａ１は、第２面積Ａ２よりも小さい。しかし、第１サブ着色膜ＳＦ１の数は第２サブ着色膜ＳＦ２の数よりも多く、全ての第１面積Ａ１の合計は全ての第２面積Ａ２の合計よりも大きい。図示した例では、第１サブ着色膜ＳＦ１の数は第２サブ着色膜ＳＦ２の数の２倍であり、第１面積Ａ１の２倍は、第２面積Ａ２よりも大きい。従って、全第１面積の合計は、全第２面積の合計より大きい。すなわち、前述の表示エリアＤＡにおいて、表示可能な第１サブ着色膜ＳＦ１の第１面積Ａ１は、表示可能な第２サブ着色膜ＳＦ２の第２面積Ａ２よりも小さい。また、表示エリアＤＡにおいて、表示可能な第１着色膜ＣＦ１の総面積は、表示可能な第２着色膜ＣＦ２の総面積よりも大きい。
【００６３】
例えば、画像の最小表示単位であるピクセルＰＸは、１つの第１サブ着色膜ＳＦ１と、２つの第２サブ着色膜ＳＦ２の一部と、で構成されている。隣り合うピクセルＰＸは、同一の第２サブ着色膜ＳＦ２の、隣り合う一部を含んでいる。例えば、このような第２サブ着色膜ＳＦ２の一部は、１つの第２サブ着色膜ＳＦ１の約１／４に相当する。すなわち、表示可能なピクセルＰＸの面積は、１つの表示可能な第１サブ着色膜ＳＦ１の面積と、１つの表示可能な第２サブ着色膜ＳＦ２の面積の半分と、の合計である。例えば、ピクセルＰＸの形状は、長方形若しくは正方形である。このため、前述の長方形の表示エリアＤＡにおいて、ピクセルＰＸは、隙間なくマトリクス状に配列することができる。
【００６４】
図６は、画素電極の構造例を示す図である。なお、ここで図示する画素電極は、図５Ｂで図示した、第１及び第４サブピクセルＳＸ１、ＳＸ４の第１画素電極ＰＥ１と、第３サブピクセルＳＸ３の第２画素電極ＰＥ２である。なお、図示した例では、第１及び第２画素電極ＰＥ１、ＰＥ２は、櫛歯状電極である。
【００６５】
図中の（ａ）は、第１スリット方向ＳＬ１に沿ってスリットＳＬＡが延在する第１及び第２画素電極ＰＥ１、ＰＥ２を図示している。例えば、第１スリット方向ＳＬ１は、第１方向Ｘと一致している。
【００６６】
（ｂ）は、第２スリット方向ＳＬ２又は第３スリット方向ＳＬ３に沿ってスリットＳＬＡが延在する第１画素電極ＰＥ１を図示している。また、第２及び第３スリット方向ＳＬ２、ＳＬ３に沿ってスリットＳＬＡが延在する第２画素電極ＰＥ２を図示している。第２スリット方向ＳＬ２は、第１方向Ｘから左回りに４５度よりも大きい第２鋭角θ２回転した方向である。第３スリット方向ＳＬ３は、第１方向Ｘから右回りに第２鋭角θ２回転した方向である。例えば、第２スリット方向ＳＬ２は、第１延在方向Ｄ１に一致する。また、第３スリット方向ＳＬ３は、第２延在方向Ｄ２と一致する。
【００６７】
（ｃ）は、第４スリット方向ＳＬ４又は第５スリット方向ＳＬ５に沿ってスリットＳＬＡが延在する第１画素電極ＰＥ１を図示している。また、第４及び第５スリット方向ＳＬ４、ＳＬ５に沿ってスリットＳＬＡが延在する第２画素電極ＰＥ２を図示している。第４スリット方向ＳＬ４は、第１方向Ｘから左回りに４５度より小さい第３鋭角θ３回転した方向である。第５スリット方向ＳＬ５は、第１方向Ｘから右回りに第３鋭角θ３回転した方向である。
【００６８】
（ｂ）や（ｃ）で図示したように、第２方向Ｙで隣り合う画素電極のスリットＳＬＡがそれぞれ異なった方向に延在することで、隣り合うサブピクセルが疑似的なマルチドメインを形成して、表示装置の表示品位が向上する。なお、スリットＳＬＡの延在方向は、特に限定されるものではなく、第１乃至第５スリット方向ＳＬ１乃至ＳＬ５以外の方向であってもよい。
【００６９】
図７Ａは、第１着色膜及び第２着色膜の透過率スペクトルを示す図である。この図において、縦軸は透過率、横軸は波長を示している。また、ブルー波長領域ＢＷは４００〜５００ｎｍの波長領域、グリーン波長領域ＧＷは５００〜６００ｎｍの波長領域、レッド波長領域ＲＷは６００〜７００ｎｍの波長領域を指している。
【００７０】
第１色ＣＬＲ１は、第１着色膜ＣＦ１を透過する光の波長によって決まる。第２色ＣＬＲ２は、第２着色膜ＣＦ２を透過する光の波長によって決まる。図示した例では、第１着色膜ＣＦ１は、グリーン波長領域ＧＷ及びレッド波長領域ＲＷにおいて高い透過率を有している。従って、第１色ＣＬＲ１は、イエローである。第２着色膜ＣＦ２は、ブルー波長領域ＢＷにおいて高い透過率を有している。従って、第２色ＣＬＲ２は、ブルーである。なお、後述するが、第１色ＣＬＲ１はイエローに限定されるものではなく、第２色ＣＬＲ２はブルーに限定されるものではない。
【００７１】
図７Ｂは、第１光源及び第２光源から出射する光の輝度スペクトルを示す図である。この図において、縦軸は輝度、横軸は波長を示している。
【００７２】
例えば、第１光源ＬＳ１は、ブルーＬＥＤと、グリーン蛍光体と、を積層して形成されている。第２光源ＬＳ２は、第１光源ＬＳが有するものと同じブルーＬＥＤと、レッド蛍光体と、を積層して形成されている。このとき、第１光源ＬＳ１からの出射光スペクトルは、ブルー波長領域ＢＷに強いピークを有し、グリーン波長領域ＧＷに弱いピークを有している。従って、第３色ＣＬＲ３は、シアンである。第２光源ＬＳ２からの出射光スペクトルは、ブルー波長領域ＢＷに強いピークを有し、レッド波長領域ＲＷに弱いピークを有している。従って、第４色ＣＬＲ４は、マゼンタである。シアンのブルー波長領域ＢＷにおけるピーク波長は、マゼンタのブルー波長領域ＢＷにおけるピーク波長と一致している。なお、ホワイトは、第１光源ＬＳ１と第２光源ＬＳ２とを同時に発光させた場合のスペクトルである。このような第１及び第２光源ＬＳ１、ＬＳ２は、部品（ブルーＬＥＤ）の共通化によって、製造コストを低減することができる。
【００７３】
図８は、第１色、第２色、第３色、及び第４色の組み合わせを示す図である。
【００７４】
本実施形態が示す表示装置において、第３色ＣＬＲ３と第４色ＣＬＲ４とを組み合わせることで、レッド、グリーン、及びブルーの色特性を有していることが望ましい（例えば第３色ＣＬＲ３及び第４色ＣＬＲ４を組み合わせることでホワイト光になる場合）。ただし、第１色ＣＬＲ１と第２色ＣＬＲ２とは補色関係にあり、第１色ＣＬＲ１の明度は第２色ＣＬＲ２の明度よりも高いものとする。
【００７５】
このような条件の下、例えば、第１乃至第４色ＣＬＲ１、ＣＬＲ２、ＣＬＲ３、ＣＬＲ４の好ましい組み合わせは、図示する３つのパターンが挙げられる。なお、シアン光は、ブルー成分とグリーン成分を有している。マゼンタ光は、ブルー成分とレッド成分を有している。イエロー光は、グリーン成分とレッド成分を有している。イエロー着色膜は、ブルー成分を吸収する。ブルー着色膜は、グリーン成分とレッド成分を吸収する。マゼンタ着色膜は、グリーン成分を吸収する。グリーン着色膜は、ブルー成分とレッド成分を吸収する。シアン着色膜は、レッド成分を吸収する。レッド着色膜は、グリーン成分とブルー成分を吸収する。
【００７６】
パターン１において、第１色ＣＬＲ１はイエローであり、第２色ＣＬＲ２はブルーであり、第３色ＣＬＲ３はシアンであり、第４色ＣＬＲ４はマゼンタである。従って、第１着色膜ＣＦ１を透過した第１光源ＬＳ１からの光の出力色は、グリーンである。第１着色膜ＣＦ１を透過した第２光源ＬＳ２からの光の出力色は、レッドである。第２着色膜ＣＦ２を透過した、第１光源ＬＳ１及び第２光源ＬＳ２からの光の出力色は、ブルーである。
【００７７】
パターン２において、第１色ＣＬＲ１はマゼンタであり、第２色ＣＬＲ２はグリーンであり、第３色ＣＬＲ３はシアンであり、第４色ＣＬＲ４はイエローである。従って、第１着色膜ＣＦ１を透過した第１光源ＬＳ１からの光の出力色は、ブルーである。第１着色膜ＣＦ１を透過した第２光源ＬＳ２からの光の出力色は、レッドである。第２着色膜ＣＦ２を透過した、第１光源ＬＳ１及び第２光源ＬＳ２からの光の出力色は、グリーンある。
【００７８】
パターン３において、第１色ＣＬＲ１はシアンであり、第２色ＣＬＲ２はレッドであり、第３色ＣＬＲ３はマゼンタであり、第４色ＣＬＲ４はイエローである。従って、第１着色膜ＣＦ１を透過した第１光源ＬＳ１からの光の出力色は、ブルーである。第１着色膜ＣＦ１を透過した第２光源ＬＳ２からの光の出力色は、グリーンである。第２着色膜ＣＦ２を透過した、第１光源ＬＳ１及び第２光源ＬＳ２からの光の出力色は、レッドある。
【００７９】
なお、レッドは、望ましくは５９７ｎｍ以上７８０ｎｍ以下の波長帯に主波長を備えており、更に望ましくは６００ｎｍ以上６６０ｎｍ以下の波長帯に主波長を備えている。グリーンは、望ましくは５００ｎｍ以上５５８ｎｍ未満の波長帯に主波長を備えており、更に望ましくは５１０ｎｍ以上５５７ｎｍ以下の波長帯に主波長を備えている。ブルーは、望ましくは３８０ｎｍ以上４８８ｎｍ未満の波長帯に主波長を備えており、更に望ましくは４３５ｎｍ以上４７５ｎｍ以下の波長帯に主波長を備えている。シアンは、望ましくは、５９０ｎｍ以上７００ｎｍ以下の波長帯に補色主波長を備えており、４３０ｎｍ以上５１０ｎｍ未満の波長帯に主波長を備えている。マゼンタは、望ましくは４９５ｎｍ以上５８０ｎｍ以下の波長帯に補色主波長を備えている。イエローは、望ましくは３５０ｎｍ以上４９０ｎｍ以下の波長帯に補色主波長に備えている。
【００８０】
図９は、ＣＩＥ１９７６  ＵＣＳ色度図である。縦軸がｖ’であり、横軸がｕ’である。この図における色度座標は、（ｕ’，ｖ’）で表現するものとする。なお、図中において、点Ｃはシアンの色度座標に相当し、点Ｍはマゼンタの色度座標に相当し、点Ｗはホワイトの色度座標に相当し、点Ｒはレッドの色度座標に相当し、点Ｇはグリーンの色度座標に相当し、点Ｂはブルーの色度座標に相当する。
【００８１】
図９は、照射部ＢＬが照射する光の色の変化を矢印で示している。例えば、第３色ＣＬＲ３はシアンであり、このシアンの色度座標は（０．１８，０．３１）である。第４色ＣＬＲ４はマゼンタであり、このマゼンタの色度座標は（０．３６，０．２９）である。第３色ＣＬＲ３と第４色ＣＬＲ４との混色であるホワイトの色度座標は、（０．２６，０．４２）である。なお、いずれの色度座標も概略した値である。
【００８２】
時分割で切り替わる照射部ＢＬの光の色度座標が互いに離れていると、カラーブレークアップと呼ばれる表示不良が生じやすくなる。カラーブレークアップとは、表示装置を動かした際に、後述する同一フレーム期間中の別々のフィールドの光が、それぞれ異なる位置から視認されるために、うまく混色されない現象のことである。カラーブレークアップの発生を抑制する観点から、第３色ＣＬＲ３のｕ’値をｕ１’とし、第３色ＣＬＲ３のｖ’値をｖ１’とし、前記第４色のｕ’値をｖ２’とし、前記第４色のｖ’値をｖ２’とした場合に、−０．２５＜ｕ１’−ｕ２’＜０．２５、−０．２５＜ｖ１’−ｖ２’＜０．２５、となることが望ましい。シアン、マゼンタ、及びホワイト間での色度の変化量は、レッド、グリーン、及びブルー間での色度の変化量に比べて少ない。上記の例においては、シアンからマゼンタへのｕ’値の変化量は０．１８であり、ｖ’値の変化量は−０．０２である。マゼンタからホワイトへのｕ’値の変化量は−０．１０であり、ｖ’値の変化量は０．１３である。ホワイトからシアンへのｕ’値の変化量は−０．０８であり、ｖ’値の変化量は−０．１１である。
【００８３】
また、カラーブレークアップの発生を抑制する観点から、第３色と第４色のＣＩＥ１９７６  ＵＣＳ色度図における距離Ｌ（ユークリッド距離）は、０．１以上０．３以下であると好ましい。色度図内における距離Ｌは、Ｌ＝{（ｕ１’−ｕ２’）２＋（ｖ１’−ｖ２’）２}１／２で算出可能である。上記の例においては、シアンとマゼンタの距離Ｌは０．１８であり、マゼンタとホワイトの距離Ｌは０．１６であり、ホワイトとシアンの距離Ｌは０．１４である。
【００８４】
図１０は、本実施形態における表示装置の動作を示すタイムチャートである。ここでは、図８で図示したパターン１を例に挙げて説明する。
【００８５】
この図において、照射部ＢＬは、１フレーム期間がシアンフィールド（１／３フレーム）と、マゼンタフィールド（１／３フレーム）と、ホワイトフィールド（１／３フレーム）と、の３フィールドに分割されたタイムシーケンスで、着色膜ＣＦに照射する光の色を切替える。シアンフィールドでは、第１光源ＬＳ１がオンであり、第２光源ＬＳ２がオフである。マゼンタフィールドでは、第１光源ＬＳ１がオフであり、第２光源ＬＳ２がオンである。ホワイトフィールドでは、第１光源ＬＳ１と第２光源ＬＳ２が共にオンである。シアンフィールドで表示可能な色は、グリーンとブルーである。マゼンタフィールドで表示可能な色は、レッドとブルーである。ホワイトフィールドで表示可能な色は、レッド、グリーン、及びブルーである。
【００８６】
これにより、シアンフィールドでは、グリーン、ブルー、及びグリーンとブルーの中間の色の色表現が可能である。マゼンタフィールドでは、レッド、ブルー、及びレッドとブルーの中間の色の色表現が可能である。ホワイトフィールドでは、レッドとグリーンの中間の色、ブルー、及びレッドとグリーンとブルーの中間の色（つまりホワイト）の色表現が可能である。時分割で表示されたシアンフィールドでの色表現と、マゼンタフィールドでの色表現と、ホワイトフィールドでの色表現と、が混色されて１フレームにおける色表現となる。なお、ホワイトフィールドが存在しなくても１フレーム期間中にレッド、グリーン、及びブルーの色表現が可能なため、照射部ＢＬは、１フレーム期間がシアンフィールド（１／２フレーム）と、マゼンタフィールド（１／２フレーム）と、の２つのフィールドに分割されたタイムシーケンスで、着色膜ＣＦに照射する光の色を切替えてもよい。ホワイトフィールドの存在によってカラーブレークアップの発生を抑制することができるため、照射部ＢＬは、ホワイトフィールドを備えたタイムシーケンスで駆動されることが望ましい。
【００８７】
本実施形態によれば、表示装置ＤＳＰは、第１着色膜ＣＦ１、第２着色膜ＣＦ２、及び、第１光源ＬＳ１の光と第２光源ＬＳ２の光とを時分割で切替えて照射する照射部ＢＬを備えている。このため、画像の最小表示単位であるピクセルが３つの異なる着色膜を備えている表示装置に比べて、本実施形態の表示装置ＤＳＰは、スイッチング素子や各種配線といった表示に寄与しない領域の面積を低減することができる。このため、ピクセルＰＸが微細化されたとしても、ピクセルＰＸにおいて表示に寄与する面積を十分に確保することができ、透過率の低減を抑制することができる。また、白色光源と３種類の着色膜を備えた表示装置に比べて、本実施形態の表示装置ＤＳＰは着色膜に吸収される光の成分が少ないため、表示パネルＰＮＬの透過率を向上させることができる。
【００８８】
また、本実施形態によれば、表示装置ＤＳＰは、３種類の着色膜を備えた表示装置に比べて、ピクセルＰＸを高密度化し高精細化したとしても、着色膜の境界が少ないため、境界に沿って配置される遮光層ＢＭの総面積を低減することができる。すなわち、本実施形態によれば、表示装置ＤＳＰは、表示パネルＰＮＬの透過率の低下を抑制することができる。
【００８９】
また、第１色ＣＬＲ１の明度が第２色ＣＬＲ２の明度よりも高く、第１着色膜ＣＦ１の面積が第２着色膜ＣＦ２の面積よりも大きいため、本実施形態によれば、表示装置ＤＳＰは輝度を向上させることができる。
【００９０】
また、ピクセルＰＸが微細化（例えば４００ｐｐｉ以上の解像度）されたとしても、ピクセルＰＸにおいて表示に寄与する面積を十分に確保することができるため、照射部ＢＬの輝度を大幅に増大することなく、表示装置ＤＳＰとして必要な表示輝度を得ることが可能となる。このため、消費電力の増大を抑制することができる。
【００９１】
本実施形態における表示装置ＤＳＰは、第１光源ＬＳ１及び第２光源ＬＳ２の光を時分割で切替えるタイプのフィールドシーケンシャルカラー（ＦＳＣ）方式の表示装置である。レッド光源、グリーン光源、及びブルー光源の光を時分割で切替えるタイプのＦＳＣ方式の表示装置に比べて、照射部ＢＬの駆動周波数を抑制することができ、消費電力を低減することができる。
【００９２】
本実施形態によれば、表示装置ＤＳＰは、１つの第１サブ着色膜ＳＦ１に対応する第１光学素子ＯＥ１を制御する第１スイッチング素子ＳＷ１と、１つの第２サブ着色膜ＳＦ２に対応する第２光学素子ＯＥ２を制御する第２スイッチング素子ＳＷ２と、を備えている。第１スイッチング素子ＳＷ１は第２スイッチング素子ＳＷ２よりも多いため、第１サブ着色膜ＳＦ１の数は第２サブ着色膜ＳＦ２の数よりも多い。人の視覚分解能は、第１色ＣＬＲ１より第２色ＣＬＲ２の方が低いため、表示装置ＤＳＰは、解像度感を損なうことなく第２サブピクセルＳＸ２の密度を減らすことができる。従って、表示装置ＤＳＰは、表示エリアＤＡにおいて遮光層ＢＭの占める面積を低減することができ、表示パネルＰＮＬの透過率を向上させることができる。また、スイッチング素子の総数を減らすことができるため、表示装置ＤＳＰは、省電力化することができる。
【００９３】
本実施形態において、１つ又は複数の第２サブ着色膜ＳＦ２は、この第２サブ着色膜ＳＦ２の個数よりも多い複数の第１サブ着色膜ＳＦ１に囲まれている。すなわち、視覚分解能の低い１つの第２サブ着色膜ＳＦ１が複数のピクセルＰＸに共有されることで、表示装置ＤＳＰは、疑似的に解像度感を向上させることができる。
【００９４】
以上説明したように、本実施形態によれば、透過率の低下を抑制しつつ高精細化が可能な表示装置を提供することができる。
【００９５】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００９６】
ＤＳＰ…表示装置  ＰＮＬ…表示パネル  １００…第１基板  ２００…第２基板  
ＢＬ…照射部  ＣＦ１…第１着色膜  ＣＦ２…第２着色膜  ＳＦ１…第１サブ着色膜  
ＳＦ２…第２サブ着色膜  ＬＱ…液晶層  ＬＭ…液晶分子  ＯＥ１…第１光学素子  
ＯＥ２…第２光学素子  ＳＸ１…第１サブピクセル  ＳＸ２…第２サブピクセル  
ＰＸ…ピクセル  ＢＭ…遮光層  ＰＥ１…第１画素電極  ＰＥ２…第２画素電極  
ＰＥ３…第３画素電極  ＰＥ４…第４画素電極  ＰＥ５…第５画素電極  
Ａ１…第１面積  Ａ２…第２面積
【図１】
2016161860.tif 000003
【図２】
2016161860.tif 000004
【図３】
2016161860.tif 000005
【図４】
2016161860.tif 000006
【図５Ａ】
2016161860.tif 000007
【図５Ｂ】
2016161860.tif 000008
【図５Ｃ】
2016161860.tif 000009
【図６】
2016161860.tif 000010
【図７Ａ】
2016161860.tif 000011
【図７Ｂ】
2016161860.tif 000012
【図８】
2016161860.tif 000013
【図９】
2016161860.tif 000014
【図１０】
2016161860.tif 000015